(57)【要約】【課題】  アクティブマトリックス型ＴＦＴ液晶表示装置の走査方向に依存したクロストークやシェーディングなどの画質不良を減少させる。【解決手段】  ディジタル信号処理回路３５と水平駆動回路３２と垂直駆動回路３３，３４を有するアクティブマトリックス型ＴＦＴ液晶表示装置であって、水平駆動回路３２は、映像信号のサンプリング順序をｎフィールド毎（ｎは1以上の整数）に反転させるとともに該反転動作に応じて水平方向の走査を変え、走査方向に依存する画質不良、例えば縦クロストーク、横クロストーク、ゴースト、書き込み不足などを低減させる。【選択図】図２
2006293074.tif 000002
【特許請求の範囲】
【請求項１】
画素サンプリング順序を正または反転して出力する信号処理回路と、
前記信号処理回路からの出力信号をアナログ信号に変換し、該信号をレベルシフトして信号ラインに供給するドライバ回路と、
前記信号処理回路から出力される前記画素のサンプリング順序に応じて水平方向に出力するためのスイッチを切り換えることにより走査方向を変えて走査して、前記信号ラインからの出力信号を、表示パネルの画素に列方向に共通接続されている列方向信号ラインに供給する水平駆動回路と、
垂直駆動パルスに応じて行方向に駆動して前記出力信号を前記表示パネルの画素ユニットに供給する垂直駆動回路と
を有する
パネル駆動装置。
【請求項２】
前記信号処理回路は、映像信号のサンプリング順序をｎフィールド毎（ｎは1以上の整数）に反転させる
請求項１記載のパネル駆動装置。
【請求項３】
前記水平駆動回路は、水平方向の走査をｎフィールド毎（ｎは1以上の整数）に反転させる
請求項１記載のパネル駆動装置。
【請求項４】
前記信号処理回路は、走査方向を反転させるタイミングは垂直ブランク期間内で行う
請求項１記載のパネル駆動装置。
【請求項５】
前記信号処理回路は、サンプリング順序を反転させる際、各画素位置に対応した映像信号を出力する。
請求項１記載のパネル駆動装置。
【請求項６】
信号処理回路と水平駆動回路と垂直駆動回路を有するパネル駆動装置であって、
前記水平駆動回路は、映像信号のサンプリング順序をｎフィールド毎（ｎは1以上の整数）に反転させるとともに該反転動作に応じて水平方向の走査を変えることを特徴とする
パネル駆動装置。
【請求項７】
前記信号処理回路は、サンプリング順序を反転させる際、各画素位置に対応した映像信号を出力する
請求項６記載のパネル駆動装置。
【請求項８】
映像信号のサンプリング順序を正または反転するステップと、
前記正または反転された映像信号が供給され、前記サンプリング順序に応じて水平方向の走査方向を変えて走査し、前記映像信号が表示パネルの画素に列方向に共通接続されている列方向信号ラインに供給されるステップと、
垂直方向に画素列を選択し、前記映像信号を画素ユニットに供給するステップと
を有する
パネル駆動装置の駆動方法。
【請求項９】
前記サンプリング順序を正または反転するステップは、水平方向の走査をｎフィールド毎（ｎは1以上の整数）に行うことを特徴とする
請求項８記載のパネル駆動装置の駆動方法。
【請求項１０】
前記サンプリング順序を反転させるステップは、各画素位置に対応した映像信号を出力する
請求項８記載のパネル駆動装置の駆動方法。
【発明の詳細な説明】
【技術分野】
【０００１】
本発明は、アクティブマトリックス型ＴＦＴ液晶表示装置のパネル駆動装置およびその駆動方法の画質向上に関し、特に走査方向に依存したクロストークやシェーディングなどの画質不良を減少させるパネル駆動装置およびその駆動方法を提供する。
【背景技術】
【０００２】
アクティブマトリックス型ＴＦＴ液晶表示装置では、図７に示すように走査方向が一定のため映像信号のサンプリング順序は一定である。このため、走査方向に依存した画質不良が問題となっている。
【０００３】
図８に従来例であるアクティブマトリックス型ＴＦＴ液晶表示装置の走査方向を一定としたときの走査方向に依存する画質不良の例を示す。
まず図８（Ａ）に示す、縦クロストークの横シェーディングについて説明する。縦クロストークを改善するためにブランキング期間にプリチャージ信号を入力している。
この場合、映像信号のサンプリング順序が始めのほうの信号線では映像信号を保持してからプリチャージ信号が入力されるまでの時間が長くなり、それに対して、映像信号のサンプリング順序が終わりのほうの信号線では映像信号を保持してからプリチャージ信号が入力されるまでの時間が短くなる。
ＢＯＸ（図８（Ａ）の表示画面の中央部の黒色領域）表示をした場合、ＢＯＸ表示電位の保持時間に比例して縦クロストークのレベルが悪化するため、映像信号のサンプリング順序が始めのほうの縦クロストークは濃く、映像信号のサンプリング順序が終わりのほうの縦クロストークは薄いといった縦クロストーク内で横シェーディングが発生してしまう。
【０００４】
次に図８（Ｂ）に示す横クロストークについて説明する。
横クロストークの原因の一つとして映像信号をサンプリングするトランジスタ（電界効果型ＴＦＴスイッチ）のリークが挙げられる。
ＢＯＸ（図８（Ｂ）の表示画面の中央部の黒色領域）表示をした場合、ＢＯＸより前にサンプリングされる画素に関してはリークの影響を受けて横クロストークが発生するが、ＢＯＸより後にサンプリングされる画素に関しては自信号によってリークの影響がリセットされるため、横クロストークは発生しない。つまり、映像信号のサンプリング順序に依存して、面内の横クロストークのレベルが異なる。
【０００５】
次に図８（Ｃ）に示す、ゴーストについて説明する。
映像信号の入力タイミングと映像信号のサンプリングタイミングのズレによりゴーストが発生するが、このズレは一方を基準とした場合、常に同一方向にシフトする。つまり、本来の映像信号に対して前方にゴーストが発生しているときは、面内では均一に前方にゴーストが発生する。よって、映像信号のサンプリング順序に依存して、面内のゴーストの発生箇所が異なる。
【０００６】
最後図８（Ｄ）に示す、書き込み不足について説明する。
画素への書き込み期間（１Ｈ期間内で画素ゲートが開いている期間）に対して、映像信号のサンプリング順序が始めの方の画素では信号線からの書き込み時間が十分に確保できるのに対して、映像信号のサンプリング順序が終わりのほうの画素では信号線からの書き込み時間が十分に確保できない。
ブランキング期間が短い場合、この書き込み時間が不足することによって輝点や輝度ばらつきが発生してしまう。つまり、映像信号のサンプリング順序に依存して、面内で輝度差が生じる。
【特許文献１】特開平１０−１４３１１３号公報
【特許文献２】特開平１０−１７１４２２号公報
【発明の開示】
【発明が解決しようとする課題】
【０００７】
アクティブマトリックス型ＴＦＴ液晶表示装置のパネル駆動装置およびその駆動方法において、走査方向をｎフィールド（ｎは１以上の整数）に応じて反転し、走査方向に依存したクロストークやシェーディングなどの画質不良を減少させる。
【課題を解決するための手段】
【０００８】
本発明のパネル駆動装置は、画素サンプリング順序を正または反転して出力する信号処理回路と、前記信号処理回路からの出力信号をアナログ信号に変換し、該信号をレベルシフトして信号ライン供給するドライバ回路と、前記信号処理回路から出力される前記画素のサンプリング順序に応じて水平方向に出力するためのスイッチを切り換えることにより走査方向を変えて走査して、前記信号ラインからの出力信号を、表示パネルの画素に列方向に共通接続されている列方向信号ラインに供給する水平駆動回路と、垂直駆動パルスに応じて行方向に駆動して前記出力信号を前記表示パネルの画素ユニットに供給する垂直駆動回路とを有する。
本発明のパネル駆動装置は、信号処理回路と水平駆動回路と垂直駆動回路を有するパネル駆動装置であって、前記水平駆動回路は、映像信号のサンプリング順序をｎフィールド毎（ｎは1以上の整数）に反転させるとともに該反転動作に応じて水平方向の走査を変えることを特徴とする。
本発明のパネル駆動方法は、映像信号のサンプリング順序を正または反転するステップと、前記正または反転された映像信号が供給され、前記サンプリング順序に応じて水平方向の走査方向を変えて走査し、前記映像信号が表示パネルの画素に列方向に共通接続されている列方向信号ラインに供給されるステップと、垂直方向に画素列を選択し、前記映像信号を画素ユニットに供給するステップとを有する。
【発明の効果】
【０００９】
ｎフィールド毎（ｎは1以上の整数）に走査方向を反転させると、左右交互反転駆動を行わない場合と比較して、走査方向に依存する画質不良（縦クロストーク、横クロストーク、ゴースト、書き込み不足など）を低減することができる。
ｎ（ｎは１以上の整数）フィールド毎反転方式ではｎに関係なく同等の効果は得られるが、反転する周期が長くなるほど、画質不良が交互に表示されることによる画面のちらつきが悪化するため、ｎ＝１のとき、つまり１フィールド毎に反転するとき最も良い画品位を得ることができる。
【発明を実施するための最良の形態】
【００１０】
本発明の実施形態例はｎフィールド毎（ｎは1以上の整数）に走査方向を反転（映像信号のサンプリング順序を反転）させるものである。
図１に本発明の実施形態例である、アクティブマトリックス型ＴＦＴ液晶表示装置のパネル駆動装置１０の主要部のブロック構成を示す。
パネル駆動装置１０は、ＤＳＤ（ディジタル信号処理回路）１１、ＬＣＤ（Ｌｉｑｕｉｄ  Ｃｒｙｓｔａｌ  Ｄｉｓｐｌａｙ）ドライバ１２、ＬＣＤパネル１３で構成されている。
ＤＳＤ１１は、入力にたとえば映像信号（Ｖｓｉｇ）を供給した場合、タイミング信号などＬＣＤパネル１３に必要な信号処理を行っている。
また、本発明の実施形態例においては、映像信号（Ｖｓｉｇ）の出力順序を入力信号の順序のまま出力する場合とあるいはその逆の順序（反転）にして出力する場合がある。この出力映像信号の出力される順序に応じて制御信号Ｈｃｏｎｔが出力され、ＬＣＤパネル１３の水平駆動回路（Ｈｓｃａｎｎｅｒ）に供給される。この制御信号Ｈｃｏｎｔにより、水平駆動回路３２の水平方向のスキャンを左右反転制御するようにしている。
ＬＣＤドライバ１２は、たとえばＤＡ（ディジタル−アナログ；Ｄ／Ａ）変換回路、データラッチ回路、レベルシフタなどで構成され、入力ディジタル（映像）信号をアナログ信号に変換し、さらにこのアナログ信号をレベル変換した後サンプルスイッチ（電界効果型ＴＦＴ（トランジスタ）ＳＷ１〜ＳＷ６群に供給される。
サンプルスイッチ電界効果型ＴＦＴは水平駆動回路（のシフトレジスタ）３２から出力される駆動信号φＨ１，φＨ２，φＨ３，・・・，φＨｎで水平（列）方向に順次駆動される。
映像信号は水平方向のタイミングに同期して導通したサンプルスイッチ（ＳＷ；電界効果型ＴＦＴ）を介して液晶表示パネルの画素ユニットを構成する電界効果型ＴＦＴのソースに接続されている信号ラインに供給される。
ＬＣＤパネル１３の主要部は、水平駆動回路３２、垂直駆動回路３３，３４などで構成されている（図２，図３）。
【００１１】
次ぎに、図２と図３に本発明の実施形態例であるアクティブマトリックス型ＴＦＴ液晶表示装置のパネル駆動装置３０の主要部のブロック構成と画素ユニットがマトリック状に配置されたパネル駆動装置３０の回路例を示す。図２と図３の回路構成は同じであるので、同じブロックや素子は同じ番号を付する。
また、図２と図３において、外部システムのＤＳＤ（ディジタル信号処理回路）３５とＬＣＤドライバ３６がＬＣＤパネル３１に接続されている。そこで映像信号処理とＬＣＤパネル内（３１）の画素（ユニット）に書き込まれる映像信号の入出力順序の制御が行われ、入出力関係を模式的に示している。
【００１２】
図２において、アクティブマトリックス型ＴＦＴ液晶表示装置のパネル駆動装置１０のＬＣＤ（Ｌｉｑｕｉｄ  Ｃｒｙｓｔａｌ  Ｄｉｓｐｌａｙ）パネル３１の主要部は、水平駆動回路（Ｈｓｃａｎｎｅｒ）３２、垂直駆動回路（Ｖｓｃａｎｎｎｅｒ）３３，３４と表示部などで構成されている。
図２では水平走査方向が左から右にシフト（通常駆動時）し、図３では（水平）走査方向が右から左にシフト（反転駆動時）を示している。
上述したＬＣＤパネル３１の外部には、タイミング発生などＬＣＤパネルに必要な信号処理を行うＩＣ（以下ＤＳＤとする）とディジタル信号をアナログ信号に変換するＤ／Ａ変換回路を内蔵し、ディジタル信号をアナログ信号に変換した後、このアナログ信号をレベルシフトしてＬＣＤパネルに映像信号（Ｖｓｉｇ）を出力するＬＣＤ  Ｄｒｉｖｅｒ（ドライバ）のみを示しており、説明で必要な部分だけに簡略化している。また、ＬＣＤパネル３１においても水平方向は６画素に簡略化している。
【００１３】
マトリックス状に配列された各画素（表示）ユニット（以後、簡単に画素とも記載する）は、ポリシリコンなどで形成された電界効果型ＴＦＴ（Ｔｈｉｎ  Ｆｉｌｍ  Ｔｒａｎｓｉｓｔｏｒ；薄膜トランジスタ）（Ｔｒ１１，・・・，ＴＲ６，Ｔｒｎ１，・・・，Ｔｒｎ６）とこのドレインに接続されたキャパシタ（Ｃ１１，・・・，Ｃ１６，Ｃｎ１，・・・，Ｃｎ６）で構成されている。
各電界効果型ＴＦＴ（Ｔｒ１１，・・・，ＴＲ１６，Ｔｒｎ１，・・・，Ｔｒｎ６）のソースは列方向に配置された信号ライン（Ｙ１，Ｙ２，・・・，Ｙ６）に接続され、ゲートは垂直駆動回路から行駆動用パルス（φＶ１，φＶ２，φＶ３，・・・，φＶｎ）が供給される行方向駆動ラインに接続され、各ドレインはそれぞれの画素に設けられたキャパシタ（Ｃ１１，Ｃ１２，・・・，Ｃ１６，Ｃｎ１，Ｃｎ２，・・・，Ｃｎ６）に接続されている。
また、各キャパシタ（Ｃ１１，Ｃ１２，・・・，Ｃ１６，Ｃｎ１，Ｃｎ２，・・・，Ｃｎ６）の他方の電極はコモン電圧源に接続されている。
【００１４】
水平駆動回路３２は、水平画素数に対応した段数のシフトレジスタで構成され、たとえばＨｓｔ（水平スタート）パルスをＨｃｋ（水平クロック）に同期して順次転送し、シフトパルス（φＨ１，φＨ２，φＨ３，・・・，φＨ６）を出力する。
水平方向に配列されたサンプルＳＷ（スイッチ；ＳＷ１，ＳＷ２，ＳＷ３，・・・，ＳＷ６）は例えば電界効果型ＴＦＴ（Ｆｉｅｌｄ  Ｅｆｆｅｃｔ  Ｔｈｉｎ  Ｆｉｌｍ  Ｔｒａｎｓｉｓｔｏｒ）などで構成され、一方の端子（ソース）には映像信号（Ｖｓｉｇ）が供給される信号（Ｖｓｉｇ）ラインに接続され、他方の出力端子（ドレイン）は画素の列方向の各信号ライン間に接続されている。
上述した水平方向のシフトパルスがサンプルＳＷを構成する電界効果型ＴＦＴのゲートに供給され、シフトパルスの“Ｈ”レベルで導通し、映像信号を信号ライン（Ｙ１，Ｙ２，・・・，Ｙ６）に出力する。
【００１５】
垂直駆動回路３３，３４は垂直画素数に対応した段数のシフトレジスタあるいは、デコーダで構成され、たとえばシフトレジスタで構成された場合はＶｓｔ（垂直スタート）パルスをＶｃｋ（垂直同期クロック）に同期して転送し、各シフトレジスタは画素の行方向の各信号ラインに順次行選択信号を出力する。
図２と図３にはＬＣＤ（パネル）駆動装置３０の左右に２個の垂直駆動回路３３，３４が構成されているが、これは少なくとも１個あれば良く、２個で構成することにより列方向の駆動能力を向上させ、その結果列方向の信号の立ち上がり、立下りの波形を急峻にし、応答スピードを速くして特性を向上させている。
【００１６】
次ぎにアクティブマトリック型ＴＦＴ液晶表示装置のパネル駆動装置１０の動作について図２と図３を用いて説明する。
図２では走査方向が左から右にシフト（通常駆動時）し、図３では走査方向が右から左にシフト（反転駆動時）を表している。また、ここでは1フィールド毎反転方式を例として説明する。しかしこれ以外にたとえば２フィールド毎に反転してもよく、これらの例に限定するものでは無い。
【００１７】
図２に１フィールド目（ｎフィールド）の動作例を示す。映像信号がＤＳＤ３５にたとえばＧ６，Ｇ５，Ｇ４，Ｇ３，Ｇ２，Ｇ１（右側のＧ１から）入力されると、ここでタイミング信号などＬＣＤパネル３１に必要な信号処理を行うと共に、映像信号の出力順序を制御している。この図２においては、入力された順序と同じ順序、Ｇ６，Ｇ５，Ｇ４，Ｇ３，Ｇ２，Ｇ１（右側のＧ１から）で出力される。
この順序で出力された映像信号は次段のＬＣＤドライバ３６に出力される。ＬＣＤドライバ３６では上述したように、たとえばＤＡ（ディジタル−アナログ；Ｄ／Ａ）変換回路、データラッチ回路、レベルシフタなどで構成され、入力ディジタル（映像）信号をアナログ信号に変換し、さらにこのアナログ信号をレベル変換した後Ｖｓｉｇライン３７に供給され、各サンプルスイッチ（電界効果型ＴＦＴ）ＳＷ１〜ＳＷ６群に供給される。
ＬＣＤドライバ３６からの映像信号の出力順序は、Ｇ６，Ｇ５，Ｇ４，Ｇ３，Ｇ２，Ｇ１（右側のＧ１から出力される）で、ＤＳＤ３５に入力された映像信号と同じである。
【００１８】
いま、垂直駆動回路３３，３４から行選択信号のφＶ１が出力され、１行目のラインが選択されているとする。すると、１行目に接続されている画素トランジスタＴｒ１１，Ｔｒ１２，Ｔｒ１３，・・・，Ｔｒ１６のゲートにたとえば“Ｈ”レベルのパルスが供給され、動作可能状態となる。
行選択信号φＶ２，φＶ３，・・・，φＶｎの行選択信号は出力されていないので、２行目，３行目，・・・，ｎ行目の行方向に配列されている各画素Ｔｒ（トランジスタ）Ｔｒ２１，Ｔｒ２２，・・・Ｔｒ２６、・・・、Ｔｒｎ１，Ｔｒｎ２，・・・，Ｔｒｎ６は駆動されない。
水平駆動回路（Ｈｓｃａｎｎｅｒ）３２の水平駆動パルスφＨ１がサンプルスイッチＳＷ１に供給され、サンプルＳＷ１がＯＮで導通しすると、ＬＣＤパネル３１に入力された最初の映像信号（Ｖｓｉｇ）のＧ１は、サンプルＳＷ１を介して信号ラインＹ１に供給される。その結果、映像信号Ｇ１はＬＣＤ（液晶）パネル３１の画素を構成する（電界効果型ＴＦＴ）Ｔｒ１１のソースからドレインを介して保持用キャパシタＣ１１に蓄積される。
水平駆動パルスφＨ１，φＨ２，・・・，φＨ６はお互いに“Ｈ”レベル期間が重複することがないので、他の画素Ｔｒ１２，Ｔｒ１３，・・・，Ｔｒ１６はＯＦＦ（オフ）状態である。
次ぎに、水平駆動回路３２から駆動パルスφＨ２が出力されると、サンプルＳＷ２のみがＯＮし、他のサンプルＳＷ（ＳＷ１，ＳＷ３，・・・，ＳＷ６）はＯＦＦ状態である。また、この水平駆動パルスφＨ２に同期して映像信号のＧ２がＶｓｉｇライン３７に出力される。
サンプルＳＷ２がＯＮしているので、映像信号のＧ２が信号ラインＹ２に供給される。その結果、映像信号Ｇ２は、画素Ｔｒ１２がＯＮ動作しているので、ソースからドレインを介して保持用キャパシタＣ１２に蓄積される。
以下同様に、映像信号の画素Ｇ３，Ｇ４，Ｇ５，Ｇ６がこの順序でそれぞれ保持用キャパシタＣ１３，Ｃ１４，Ｃ１５，Ｃ１６に蓄積される。
そして、キャパシタＣ１１，Ｃ１２，Ｃ１３，・・・，Ｃ１６に蓄積された電荷量に相当する電界で液晶が駆動され、この電界の大きさに応じて輝度（色）が変調される。
【００１９】
次ぎに、垂直駆動回路３３，３４から行選択パルスφＶ２が出力されると、２行目のラインが選択され、今度は２行目に配列された画素トランジスタ（Ｔｒ２１，Ｔｒ２２，・・・，Ｔｒ２６）のみがＯＮ動作可能となる。
この２行目のラインについても１行目と同様に動作する。
すなわち、水平駆動回路（Ｈｓｃａｎｎｅｒ）３２の水平駆動パルスφＨ１がサンプルＳＷ１に供給され、サンプルＳＷ１がＯＮして導通すると、ＬＣＤパネル３１に入力された最初の映像ＶｓｉｇのＧ１は、Ｖｓｉｇライン３７に出力され、サンプルＳＷ１を介して信号ラインＹ１に供給される。その結果、映像信号Ｇ１は液晶パネル３１の画素を構成する（電界効果型ＴＦＴ）Ｔｒ２１のソースからドレインを介して保持用キャパシタＣ２１に蓄積される。
水平駆動パルスφＨ１，φＨ２，・・・，φＨ６はお互いに“Ｈ”レベル期間が重複することがないので、他の画素Ｔｒ２２，Ｔｒ２３，・・・，Ｔｒ２６はＯＦＦ（オフ）状態である。
次ぎに、水平駆動回路３２から駆動パルスφＨ２が出力されると、サンプルＳＷ２のみがＯＮし、他のサンプルＳＷ（ＳＷ１，ＳＷ３，・・・、ＳＷ６）はＯＦＦ状態である。また、この水平駆動パルスφＨ２に同期して映像信号のＧ２がＶｓｉｇライン３７に出力される。
サンプルＳＷ２がＯＮしているので、映像信号のＧ２がＹ２ラインに供給される。その結果、映像信号のＧ２は、画素Ｔｒ２２がＯＮ動作しているので、ソースからドレインを介して保持用キャパシタＣ２２に蓄積される。
以下同様に、映像信号の画素Ｇ３，Ｇ４，Ｇ５，Ｇ６がこの順序でそれぞれ保持用キャパシタＣ２３，Ｃ２４，Ｃ２５，Ｃ２６に蓄積される。
そして、キャパシタＣ２１，Ｃ２２，Ｃ２３，・・・，Ｃ２６に蓄積された電荷量に相当する電界で液晶が駆動され、この電界の大きさに応じて輝度（色）が変調される。
このような動作を、ｎ行まで繰り返し１フィールト動作を終わる。
したがって、ＬＣＤドライバから出力された映像信号の順序に従ってたとえば左側から順に、ＬＣＤパネルに画像を表示する。
【００２０】
次ぎに、２フィールド目（ｎ＋１フィールド）に水平駆動回路３２のスキャン（走査）方向を右から左へ行う例を示す。図２に示した、水平スキャン動作が、左から右へ走査を行うことと逆に、今度は右から左へスキャンするので、表示画像を正しく形成するため映像信号の出力順序を変更する必要がある。
ｎフィールド目は通常駆動であるので、映像信号を外部入力と同順序のままパネルに出力してよいが、ｎ＋１フィールド目は反転駆動であるので、外部入力と同順序のままパネルに出力してしまうと、画像が反転してしまう。そこで、ＤＳＤ３５内にラインメモリを持たせ、反転駆動をするｎ＋１フィールド目は映像信号を外部入力と逆順序にしてＬＣＤパネルに出力するようにしている。
また、通常駆動と反転駆動は毎フィールド切り換るため、映像信号の出力順序は毎フィールド切り換るように映像信号処理を行う。
さらに、ｎ（ｎ＝１，２，・・・，ｎ；ｎは１以上の整数）フィールド毎反転方式ではｎフィールド毎に映像信号の出力順序が切り換るように映像信号処理を行う必要がある。
【００２１】
具体例として、図３においてＤＳＤ３５に入力された映像信号は、出力側から出力された映像信号の順序と逆になっている。即ち、ＤＳＤ３５の入力側では、映像信号の順序はＧ６，Ｇ５，・・・，Ｇ２，Ｇ１（Ｇ１側から順に入力）とＧ１が最初に入力されているが、ＤＳＤ３５の出力側においては、映像信号がＧ１，Ｇ２，・・・，Ｇ６（Ｇ６側から順に出力）とＧ６が最初に出力され、Ｇ１が最後に出力されるように順序が逆になっている。
【００２２】
いま、垂直駆動回路３３，３４から行選択信号のφＶ１が出力され、１行目のラインが選択されているとする。すると、１行目に接続されている画素トランジスタＴｒ１１，Ｔｒ１２，Ｔｒ１３，・・・，Ｔｒ１６のゲートにたとえば“Ｈ”レベルのパルスが供給され、動作可能状態となる。
行選択信号φＶ２，φＶ３，・・・，φＶｎの行選択信号は出力されていないので、２行目，３行目，・・・，ｎ行目の行方向に配列されている各画素Ｔｒ（トランジスタ）Ｔｒ２１，Ｔｒ２２，・・・Ｔｒ２６、・・・、Ｔｒｎ１，Ｔｒｎ２，・・・，Ｔｒｎ６は駆動されない。
水平駆動回路（Ｈｓｃａｎｎｅｒ）３２の水平駆動パルスφＨ１がサンプルＳＷ６に供給され、サンプルＳＷ６がＯＮで導通すると、ＬＣＤパネル３１のＶｓｉｇライン３７に入力された最初の映像信号のＧ６は、サンプルＳＷ６を介して信号ラインＹ６に供給される。その結果、映像信号Ｇ６はＬＣＤパネル３１の画素を構成する（電界効果型ＴＦＴ）Ｔｒ１６のソースからドレインを介して保持用キャパシタＣ１６に蓄積される。
次ぎに、水平駆動回路３２から駆動パルスφＨ２が出力されると、サンプルＳＷ５のみがＯＮし、他のサンプルＳＷ（ＳＷ１，ＳＷ２，ＳＷ３，ＳＷ４，ＳＷ６）はＯＦＦ状態である。また、この水平駆動パルスφＨ２に同期して映像信号のＧ５がＶｓｉｇライン３７に出力される。
すると、映像信号Ｇ５はサンプルＳＷ５を介して信号ラインＹ５に供給され、画素Ｔｒ１５がＯＮ動作しているので、ソースからドレインを介して映像信号Ｇ５が保持用キャパシタＣ１５に蓄積される。
以下同様に、映像信号の画素Ｇ４，Ｇ３，Ｇ２，Ｇ１がこの順序（Ｇ４から順に）でそれぞれ保持用キャパシタＣ１４，Ｃ１３，Ｃ１２，Ｃ１１に蓄積される。
そして、キャパシタＣ１６，Ｃ１５，Ｃ１４，・・・，Ｃ１１に蓄積された電荷量に相当する電界で液晶が駆動され、この電界の大きさに応じて輝度（色）が変調される。
【００２３】
次ぎに、垂直駆動回路３３，３４から行選択パルスφＶ２が出力されると、２行目のラインが選択され、今度は２行目に配列された画素トランジスタ（Ｔｒ２１，Ｔｒ２２，・・・，Ｔｒ２６）のみがＯＮ動作可能となる。
この２行目のラインについても１行目と同様に動作する。
すなわち、水平駆動回路（Ｈｓｃａｎｎｅｒ）３２の水平駆動パルスφＨ１がサンプルＳＷ６に供給され、サンプルＳＷ６がＯＮで導通しすると、ＬＣＤパネル３１に入力された最初の映像信号のＧ６は、サンプルＳＷ６を介して信号ラインＹ６に供給される。その結果、映像信号Ｇ１は液晶パネル３１の画素を構成する（電界効果型ＴＦＴ）Ｔｒ２６のソースからドレインを介して保持用キャパシタＣ２６に蓄積される。
次ぎに、水平駆動回路３２から駆動パルスφＨ２が出力されると、サンプルＳＷ５のみがＯＮし、他のサンプルＳＷ（ＳＷ１，ＳＷ２，ＳＷ３，ＳＷ４，ＳＷ６）はＯＦＦ状態である。また、この水平駆動パルスφＨ２に同期して映像信号のＧ５がＶｓｉｇライン３７に出力される。
サンプルＳＷ５がＯＮしているので、映像信号のＧ５はサンプルＳＷ５を介して信号ラインＹ５に供給される。その結果、映像信号Ｇ５は画素Ｔｒ２５がＯＮ動作しているので、ソースからドレインを介して保持用キャパシタＣ２５に蓄積される。
以下同様に、映像信号の画素Ｇ４，Ｇ３，Ｇ２，Ｇ１がこの順序でそれぞれ保持用キャパシタＣ２３，Ｃ２４，Ｃ２５，Ｃ２６に蓄積される。
そして、キャパシタＣ２１，Ｃ２２，Ｃ２３，・・・，Ｃ２６に蓄積された電荷量に相当する電界で液晶が駆動され、この電界の大きさに応じて輝度（色）が変調される。
このような動作を、ｎ行まで繰り返し２フィールト目（ｎ＋１フィールド）の動作を終わる。
したがって２フィールド目は、ＬＣＤドライバから出力された映像信号の順序に従ってたとえば右側から順に、ＬＣＤパネルに画像を表示する。
【００２４】
次ぎに、図４に１Ｆ（フィールド）毎の左右交互反転する例を模式的に示す。図４（Ａ）は１フィールド目で左から右方向にスキャンした例を示し、図４（Ｂ）は２フィールド目の右から左方向にスキャンした例を示す。図４（Ｃ）に示すように、３フィールド目は１フィールド目と同様に左から右方向にスキャンし、４フィールド目は右から左方向にスキャンしている（図４（Ｄ））。
以下同様に、５フィールド目は右方向へスキャンし、６フィールド目は左方向へスキャンし、７フィールド目は右方向へスキャン、８フィールド目は左方向へスキャンしている。
図４においては、奇数フィールドは右方向へスキャンし、偶数フィールドは左方向へスキャンしているが、これ以外に、奇数フィールドは左方向へスキャンし、偶数フィールドは右方向へスキャンしても良い。
【００２５】
また他の実施形態例として、図５に２Ｆ（フィールド）毎にスキャン方向を、左右反転する例を示した。
１フィールドと２フィールドは右方向へスキャンし、３フィールドと４フィールドは左方向へスキャンし、５フィールドと６フィールドは右方向へスキャンし、７フィールドと８フィールドは左方向へスキャンしている。以下これを繰り返す。
またこれとは逆に、１フィールドと２フィールドは左方向へスキャンし、３フィールドと４フィールドは右方向へスキャンし、５フィールドと６フィールドは左方向へスキャンし、７フィールドと８フィールドは右方向へスキャンしても良い。以下これを繰り返す。
図４と図５に左右反転の、フィールドｎ（ｎは１以上の整数）に関してｎ＝１とｎ＝２とした場合の例を示した。このフィールドｎに関しては、これ以外に任意に設定することができ、上述した例に限定するものではない。
【００２６】
図４と図５に、1フィールド毎反転方式と２フィールド毎反転方式を示した。ｎフィールド毎反転方式ではｎフィールド毎に走査方向を反転させるものであるが、ｎに関係なく、走査方向の反転させるタイミングは反転開始フィールドの直前の垂直ブランク期間内で行うことを特徴とする。このことにより、どの方式においても１画面における走査方向の均一性を保つことができる。
【００２７】
図６に示した本発明のスキャン方法によるパネル駆動装置の画質と従来例のスキャン方法によるパネル駆動装置の画質との差について、図４を用いて説明する。本発明の実施形態例として、以下では1フィールド毎反転方式（ｎ＝１）を例として説明するが、ｎフィールド毎反転方式ではｎに関係なく効果は同等である。
まず縦クロストークの横シェーディングについて図６（Ａ）と図６（Ａ'）について説明する。ここで、図６（Ａ）は従来の駆動（スキャン）方式、また図６（Ａ'）は本発明の実施形態例の駆動（スキャン）方式による表示パネルに表示された画像例である。
図４に示したように、ｎフィールド目では走査方向が左から右にシフトし、ｎ＋１フィールド目では走査方向が右から左にシフトするとする（ｎは１以上の整数）。
ブランキング期間にプリチャージ信号を入力し、ＢＯＸ表示（図６（Ａ）の中央部の黒色領域と図６（Ａ'）の中央部の黒色領域）を行っている場合、ｎフィールド目では映像信号のサンプリング順序が始めの方の信号線、つまり画面の左側の信号線では、ＢＯＸ表示電位の保持時間が長いため、ＢＯＸ表示部の左側では縦クロストークは濃くなる。
それに対し、ｎ＋１フィールド目では映像信号のサンプリング順序が反転するため終わりの方になり、ＢＯＸ表示電位の保持時間が短くなるため、縦クロストークは薄くなる。
このように、１フィールド毎にこの現象が繰り返されるため、見た目としては平均化される。走査方向を反転することで、ＢＯＸ表示電位の保持時間はどの場所においても画面中央部での保持時間に平均化されるため、縦クロストーク内で横シェーディングはなくなり、そのレベルは画面中央部と同等まで改善される（最も悪いところでは半減される;図６（Ａ'））。
【００２８】
次に横クロストークについて図４、図６（Ｂ）と図６（Ｂ'）を用いて説明する。ｎフィールド目では走査方向が左から右にシフトし、ｎ＋１フィールド目では走査方向が右から左にシフトするとする（ｎは１以上の整数）。
ＢＯＸ表示を行っている場合、ｎフィールド目ではＢＯＸより前にサンプリングされる画素、つまりＢＯＸ表示部の左側ではリークの影響を受けて横クロストークが発生する。
それに対し、ｎ＋１フィールド目ではＢＯＸより後にサンプリングされるため、リークの影響を受けず、横クロストークは発生しない。１フィールド毎にこの現象が繰り返されるため、見た目としては平均化され、走査方向を反転しない場合と比較して、ＢＯＸの左右の横クロストークはそれぞれ半減される(図６（Ｂ'）)。
【００２９】
次にゴーストについて図４、図６（Ｃ）と図６（Ｃ'）を用いて説明する。ｎフィールド目では走査方向が左から右にシフトし、ｎ＋１フィールド目では走査方向が右から左にシフトするとする（ｎは１以上の整数）。
本来の映像信号に対して前方にゴーストが発生している場合、ｎフィールド目では本来の映像信号より前にサンプリングされる画素、つまり本来の映像信号の左側にゴーストが発生する。それに対し、ｎ＋１フィールド目では本来の映像信号より後にサンプリングされるため、ゴーストは発生しない。１フィールド毎にこの現象が繰り返されるため、見た目としては平均化され、走査方向を反転しない場合と比較して、ゴーストは半減される（図６（Ｃ'））。
【００３０】
最後に書き込み不足について図４、図６（Ｄ）と図６（Ｄ'）を用いて説明する。ｎフィールド目では走査方向が左から右にシフトし、ｎ＋１フィールド目では走査方向が右から左にシフトするとする（ｎは１以上の整数）。
ｎフィールド目では映像信号のサンプリング順序が終わりの方の画素、つまり画面の最右側では信号線からの書き込み時間が十分に確保できないため、輝点や輝度ばらつきが発生してしまう。それに対し、ｎ＋１フィールド目では映像信号のサンプリング順序が始めになるため、信号線からの書き込み時間が十分に確保でき、輝点や輝度ばらつきが発生しない。
１フィールド毎にこの現象が繰り返されるため、見た目としては平均化され、走査方向を反転しない場合と比較して、輝点や輝度ばらつきは半減される（図６（Ｄ'））。
すなわちブランキング期間内で確保している画素書き込み時間を短縮でき、その他の入力信号のタイミングマージンを広げることができる。
【００３１】
以上述べたように、走査方向をフィールドに関連づけて反転することにより、走査方向に依存する画質不良、例えば縦クロストーク、横クロストーク、ゴースト、書き込み不足などを半減することができる。
特に、ｎ（ｎは１以上の整数）フィールド毎反転方式ではｎに関係なく同等の効果は得られるが、反転する周期が長くなるほど、画質不良が交互に表示されることによる画面のちらつきが悪化するため、ｎ＝１、つまり１フィールド毎に反転するとき最も良い画品位を得ることができる。
【図面の簡単な説明】
【００３２】
【図１】本発明の実施形態例であるＬＣＤパネル駆動装置の主要部のブロック構成を示す図である。
【図２】図１のＬＣＤパネル駆動装置の主要部の回路構成とその動作を示した図である。
【図３】図１のＬＣＤパネル駆動装置の主要部の回路構成とその動作を示した図である。
【図４】図２と図３の動作を説明するための走査方法を示した図である。
【図５】図２と図３の動作を説明するための走査方法を示した図である。
【図６】図２に示したＬＣＤパネル駆動装置と従来のＬＣＤ表示装置の表示例を示した図である。
【図７】従来例のＬＣＤ表示装置の走査方法を示した図である。
【図８】従来例のＬＣＤ表示装置の表示例を示した図である。
【符号の説明】
【００３３】
１０，３０…ＬＣＤ（パネル）駆動装置、１１…ＤＳＤ（ディジタル信号処理回路）、１２，３６…ＬＣＤ（Ｌｉｑｕｉｄ  Ｃｒｙｓｔａｌ  Ｄｉｓｐｌａｙ）ドライバ、１３，３１…ＬＣＤ（液晶）パネル、３２…水平駆動回路（Ｈｓｃａｎｎｎｅｒ）、３３，３４…垂直駆動回路（Ｖｓｃａｎｎｎｅｒ）、３５…ＤＳＤ（ディジタル信号処理回路）、Ｔｒ１１〜ＴＲｎ６…画素トランジスタ、Ｃ１１〜Ｃｎ６…キャパシタ、Ｙ１〜Ｙ６…信号線（ライン）、ＳＷ１〜ＳＷ６…サンプルスイッチ。
【図１】
2006293074.tif 000003
【図２】
2006293074.tif 000004
【図３】
2006293074.tif 000005
【図４】
2006293074.tif 000006
【図５】
2006293074.tif 000007
【図７】
2006293074.tif 000008
【図６】
2006293074.tif 000009
【図８】
2006293074.tif 000010